(57)【特許請求の範囲】
【請求項１】
複数のタイルを下地接着剤によって下地に接着しているタイル壁の劣化診断を行うタイル壁診断システムであって、
前記タイル壁の劣化診断の対象となる撮影対象部を撮影して、その撮影画像を生成する撮影部と、
前記撮影部が生成した撮影画像を読み込み、前記撮影画像の特徴を表す第１画像情報を生成する画像情報生成部と、
前記第１画像情報に基づき、前記撮影対象部の劣化の度合いを判定する劣化判定部と、
前記劣化判定部による判定結果を出力する出力部と、を備え、
前記劣化判定部は、
劣化の度合いが各々異なるタイル壁を撮影して得られた複数の基準画像と、前記複数の基準画像のそれぞれの特徴を表す複数の第２画像情報とが記憶された記憶部と、
前記第１画像情報と、前記記憶部に記憶されている複数の第２画像情報とを比較し、前記複数の第２画像情報の中から、前記第１画像情報に最も類似度が高い第２画像情報に対応する基準画像を抽出する基準画像抽出部と、を備え、
前記基準画像抽出部によって抽出された基準画像に基づき、前記撮影対象部の劣化の度合いを判定し、
前記出力部は、前記基準画像抽出部によって抽出された前記基準画像および前記撮影画像を、前記劣化判定部による判定結果とともに表示することを特徴とするタイル壁診断システム。
【請求項２】
前記撮影対象部は、前記複数のタイル間の目地を含んでいることを特徴とする請求項１に記載のタイル壁診断システム。
【請求項３】
前記複数の第２画像情報は、目地交差部の撮影画像を表す情報を含んでいることを特徴とする請求項２に記載のタイル壁診断システム。
【請求項４】
複数のタイルを下地接着剤によって下地に接着しているタイル壁の劣化診断を行うタイル壁診断方法であって、
撮影部が、前記タイル壁の劣化診断の対象となる撮影対象部を撮影して、その撮影画像を生成する第１工程と、
画像情報生成部が、前記第１工程で前記撮影部が撮影した撮影画像を読み込み、読込んだ撮影画像の特徴を表す第１画像情報を生成する第２工程と、
劣化判定部が、前記第２工程で前記画像情報生成部が生成した前記第１画像情報を読み込み、前記撮影対象部の劣化の度合いを判定し、判定した劣化の度合いを表す情報を生成する第３工程と、
出力部が、前記第３工程で前記劣化判定部によって生成した劣化の度合いを表す情報を画像表示する第４工程と、を含み、
前記第３工程は、
劣化の度合いが各々異なるタイル壁を撮影して得られた複数の基準画像と、前記複数の基準画像のそれぞれの特徴を表す複数の第２画像情報とを記憶する基準画像準備工程と、
前記画像情報生成部が生成した第１画像情報を読み込む画像情報読込み工程と、
前記画像情報読込み工程で読み込んだ第１画像情報と、前記基準画像準備工程で記憶されている複数の第２画像情報とを比較し、前記複数の第２画像情報の中から、前記第１画像情報に最も類似度が高い第２画像情報に対応する基準画像を抽出する基準画像抽出工程と、
前記基準画像抽出工程で抽出した基準画像に基づき、前記撮影対象部の劣化の度合いを判定し、判定した劣化の度合いを表す情報を生成する劣化情報生成工程と、を含み、
前記出力部は、前記第４工程で生成された前記劣化の度合いを表す情報とともに、前記基準画像抽出工程で抽出された前記基準画像および前記撮影画像を表示することを特徴とするタイル壁診断方法。
【請求項５】
前記撮影対象部は、前記複数のタイル間の目地を含んでいることを特徴とする請求項４に記載のタイル壁診断方法。
【請求項６】
前記複数の第２画像情報は、目地交差部の撮影画像を表す情報を含んでいることを特徴とする請求項４に記載のタイル壁診断方法。
【発明の詳細な説明】
【技術分野】
【０００１】
本発明は、タイル壁の目地の画像に基づき、タイル壁の劣化の度合いを判定することができるタイル壁診断システムおよびタイル壁診断方法に関する。
【背景技術】
【０００２】
タイルを接着施工した建物の外壁は、タイルに下地接着剤を塗布し、下地に一定間隔の目地を設けてタイルが貼り付けられている。そのため、隣り合うタイル間の目地に位置する下地接着剤はタイルによって覆われておらず、外部に露出している部分が劣化して雨水などが浸入し、タイルが貼り付けられる下地外装材等の劣化を生じさせる場合がある。
【０００３】
下地接着剤は、一般に、熱硬化性樹脂を含むため、長期間の日射による紫外線の暴露よって光酸化分解が生じやすい。また、シリル化エポキシ樹脂系の下地接着剤の場合は、雨水や熱によって後硬化反応を生じる。このように、紫外線、熱、雨水などの影響によって、劣化が進むと、亀裂が生じ、その結果、接着剤の下地材保護性が低下し、下地外装材等の劣化の原因となる。
【０００４】
このようなタイル壁の経年変化を診断する方法は、例えば特許文献１に記載されている。この従来技術は、壁面における診断対象部に対する診断結果を記録する壁面診断結果記録システムであって、撮影手段にて撮影した壁面画像であり、診断作業者による診断結果を示す診断結果情報が記録された診断対象部を少なくとも含む壁面画像を取得する壁面画像取得手段と、壁面画像取得手段によって取得した壁面画像の診断結果情報を解析し、当該診断結果情報が示す診断結果を特定する壁面画像解析手段と、壁面画像解析手段によって特定した診断結果を、壁面画像取得手段によって取得した壁面画像における診断対象部の位置に対応付けて所定の記録手段に記録する対応付け手段と、を備える壁面診断結果記録システムが提案されている。
【先行技術文献】
【特許文献】
【０００５】
【特許文献１】特開２０１４−１３４４７０号公報
【発明の概要】
【発明が解決しようとする課題】
【０００６】
しかしながら、上記従来技術の壁面診断結果記録システムは、診断作業者がタイルの損傷状態等の診断を行うことが前提とされており、診断作業者による壁面の劣化の有無および程度を判定するために時間を要し、壁面の診断作業の効率が悪いという課題がある。また、診断作業者の判断に個人差があるので、診断結果にばらつきが生じ、診断結果の正確性および安定性を高める必要がある。
【０００７】
本発明の目的は、上述の技術的課題を解決し、タイル壁の劣化の度合いを正確かつ安定に判定することができるタイル壁診断システムおよびタイル壁診断方法を提供することである。
【課題を解決するための手段】
【０００８】
本発明のタイル壁診断システムは、複数のタイルを下地接着剤によって下地に接着しているタイル壁の劣化診断を行うタイル壁診断システムであって、
前記タイル壁の劣化診断の対象となる撮影対象部を撮影して、その撮影画像を生成する撮影部と、
前記撮影部が生成した撮影画像を読み込み、前記撮影画像の特徴を表す第１画像情報を生成する画像情報生成部と、
前記第１画像情報に基づき、前記撮影対象部の劣化の度合いを判定する劣化判定部と、
前記劣化判定部による判定結果を出力する出力部と、を備え、
前記劣化判定部は、
劣化の度合いが各々異なるタイル壁を撮影して得られた複数の基準画像と、前記複数の基準画像のそれぞれの特徴を表す複数の第２画像情報とが記憶された記憶部と、
前記第１画像情報と、前記記憶部に記憶されている複数の第２画像情報とを比較し、前記複数の第２画像情報の中から、前記第１画像情報に最も類似度が高い第２画像情報に対応する基準画像を抽出する基準画像抽出部と、を備え、
前記基準画像抽出部によって抽出された基準画像に基づき、前記撮影対象部の劣化の度合いを判定し、
前記出力部は、前記基準画像抽出部によって抽出された前記基準画像および前記撮影画像を、前記劣化判定部による判定結果とともに表示することを特徴とする。
【０００９】
また、本発明のタイル壁診断システムは、前記撮影対象部が、前記複数のタイル間の目地を含んでいることを特徴とする。
【００１１】
また、本発明のタイル壁診断システムは、前記複数の第２画像情報が、目地交差部の撮影画像を表す情報を含んでいることを特徴とする。
【００１２】
本発明のタイル壁診断方法は、複数のタイルを下地接着剤によって下地に接着しているタイル壁の劣化診断を行うタイル壁診断方法であって、
撮影部が、前記タイル壁の劣化診断の対象となる撮影対象部を撮影して、その撮影画像を生成する第１工程と、
画像情報生成部が、前記第１工程で前記撮影部が撮影した撮影画像を読み込み、読込んだ撮影画像の特徴を表す第１画像情報を生成する第２工程と、
劣化判定部が、前記第２工程で前記画像情報生成部が生成した前記第１画像情報を読み込み、前記撮影対象部の劣化の度合いを判定し、判定した劣化の度合いを表す情報を生成する第３工程と、
出力部が、前記第３工程で前記劣化判定部によって生成した劣化の度合いを表す情報を画像表示する第４工程と、を含み、
前記第３工程は、
劣化の度合いが各々異なるタイル壁を撮影して得られた複数の基準画像と、前記複数の基準画像のそれぞれの特徴を表す複数の第２画像情報とを記憶する基準画像準備工程と、
前記画像情報生成部が生成した第１画像情報を読み込む画像情報読込み工程と、
前記画像情報読込み工程で読み込んだ第１画像情報と、前記基準画像準備工程で記憶されている複数の第２画像情報とを比較し、前記複数の第２画像情報の中から、前記第１画像情報に最も類似度が高い第２画像情報に対応する基準画像を抽出する基準画像抽出工程と、
前記基準画像抽出工程で抽出した基準画像に基づき、前記撮影対象部の劣化の度合いを判定し、判定した劣化の度合いを表す情報を生成する劣化情報生成工程と、を含み、
前記出力部は、前記第４工程で生成された前記劣化の度合いを表す情報とともに、前記基準画像抽出工程で抽出された前記基準画像および前記撮影画像を表示することを特徴とする。
また、本発明のタイル壁診断方法は、前記複数の第２画像情報が、目地交差部の撮影画像を表す情報を含んでいることを特徴とする。
【００１３】
また、本発明のタイル壁診断方法は、前記撮影対象部が、前記複数のタイル間の目地を含んでいることを特徴とする。
【００１４】
また、本発明のタイル壁診断方法は、
前記第３工程が、
劣化の度合いが各々異なるタイル壁を撮影して得られた複数の基準画像と、前記複数の基準画像のそれぞれの特徴を表す複数の第２画像情報とを記憶する基準画像準備工程と、
前記画像情報生成部が生成した第１画像情報を読み込む画像情報読込み工程と、
前記画像情報読込み工程で読み込んだ第１画像情報と、前記基準画像準備工程で記憶されている複数の第２画像情報とを比較し、前記複数の第２画像情報の中から、前記第１画像情報に最も類似度が高い第２画像情報に対応する基準画像を抽出する基準画像抽出工程と、
前記基準画像抽出工程で抽出した基準画像に基づき、前記撮影対象部の劣化の度合いを判定し、判定した劣化の度合いを表す情報を生成する劣化情報生成工程と、を含んでいることを特徴とする。
【発明の効果】
【００１５】
本発明のタイル壁診断システムによれば、撮影部によって撮影対象部が撮影され、撮影された撮影画像の特徴を表す第１画像情報が画像情報生成部によって生成される。劣化判定部は、画像情報生成部によって生成された第１画像情報に基づいて撮影対象部の劣化の度合いを判定し、その判定結果が出力部によって出力される。このようなタイル壁診断システムによって、診断作業者による劣化診断のための作業を必要とせず、劣化診断に要する時間を短縮するとともに、診断結果のばらつきを抑制し、正確で客観性の高い診断結果を出力部によって、例えば画像表示して、建物の所有者または管理者などにタイル壁の補修の要否を説明し、または確認することが可能となる。
また劣化判定部は、基準画像抽出部によって、記憶部に記憶された複数の第２画像情報の中から、撮影画像の特徴を表す第１画像情報と類似度が最も高い第２画像情報に対応する基準画像が抽出され、抽出された基準画像に基づいてタイル壁の劣化の度合いが判定される。これによって、多様なタイル壁の劣化状態の判定に必要な基準画像およびそれらの第２画像情報を記憶部に担持させておくことによって、複雑な画像解析処理を行うことなく、容易に高精度の劣化度合いの判定結果が得られ、汎用性の高いタイル壁診断システムを提供することができる。
【００１６】
また、本発明のタイル壁診断システムによれば、撮影対象部にタイル間の目地を含んでいるので、下地接着剤の表面の状態を表す情報を含む撮影画像から第１画像情報が生成され、このような第１画像情報に基づいてタイル壁の劣化の度合いが判定される。したがって、下地接着剤の状態が劣化の度合いの判定に必ず加味され、劣化判定を高精度化することができる。
【００１８】
また、本発明のタイル壁診断システムによれば、第２画像情報には目地交差部の撮影画像を表す情報を含むので、タイル壁が水付着面であるか乾燥面であるかによる劣化の進行状態の相違、例えば明度、彩度、色相、欠陥の状態（割れ、膨れ、欠落、発生数など）も加味して、対象とする撮影画像による劣化判定を行うことができる。これによって、撮影対象部の劣化の度合いを、より高精度で判定することができる。
【００１９】
本発明のタイル壁診断方法によれば、第１工程で撮影部が撮影対象部を撮影し、第２工程で画像情報生成部は、撮影された撮影画像を読み込み、第１画像情報を生成する。劣化判定部は、第２工程で画像情報生成部が生成した第１画像情報を読み込んで劣化の度合いが判定され、その判定結果が第３工程で出力部に画像表示される。このようなタイル壁診断方法によって、診断作業者による劣化診断のための作業を必要とせず、劣化診断に要する時間を短縮するとともに、診断結果のばらつきを抑制し、正確で客観性の高い診断結果を出力部によって、例えば画像表示して、建物の所有者または管理者にタイル壁の補修の要否を説明し、または確認することが可能となる。
また、基準画像準備工程で、劣化の度合いが各々異なるタイル壁を撮影して得られた複数の基準画像と、複数の基準画像のそれぞれの特徴を表す複数の第２画像情報とを記憶し、画像情報読込み工程で、画像情報生成部が生成した第１画像情報が読み込まれる。基準画像抽出工程では、画像情報読込み工程で読み込んだ第１画像情報と、基準画像準備工程で記憶されている複数の第２画像情報とが比較され、複数の第２画像情報の中から、第１画像情報に最も類似度が高い第２画像情報に対応する基準画像が抽出される。劣化情報生成工程では、基準画像抽出工程で抽出した基準画像に基づき、撮影対象部の劣化の度合いが判定され、判定した劣化の度合いを表す情報が生成される。生成された劣化の度合いを表す情報は、第４工程で、前述のように出力部によって画像表示される。これによって、多様なタイル壁の劣化状態の判定に必要な基準画像およびそれらの第２画像情報を記憶部に担持させておくことによって、複雑な画像解析処理を行うことなく、容易に高精度の劣化度合いの判定結果が得られ、汎用性の高いタイル壁診断方法を提供することができる。
【００２０】
また、本発明のタイル壁診断方法によれば、撮影対象部にタイル間の目地を含んでいるので、画像情報生成部は、下地接着剤の表面の状態を表す情報を含む撮影画像から第１画像情報を生成し、このような第１画像情報に基づいて、劣化判定部は、タイル壁の劣化の度合いを判定する。したがって、下地接着剤の状態が劣化の度合いの判定に必ず加味され、劣化判定を高精度化することができる。
【００２１】
また、本発明のタイル壁診断方法によれば、第２画像情報には目地交差部の撮影画像を表す情報を含むので、タイル壁が水付着面であるか乾燥面であるかによる劣化の進行状態の相違も加味して、対象とする撮影画像による劣化判定を行うことができる。これによって、撮影対象部の劣化の度合いを、より高精度で判定することができる。
【図面の簡単な説明】
【００２２】
【図１】本発明の一実施形態のタイル壁診断システム１の撮影部２によって撮影されるタイル壁１０の一部の断面図である。
【図２】タイル壁１０が破れ目地構造である場合の例を示す正面図である。
【図３】図２に示されるタイル壁１０の一部を拡大した正面図である。
【図４】タイル壁１０が通し目地構造である場合の例を示す正面図である。
【図５】図４に示されるタイル壁１０の地面付近のタイル壁１０の一部を示す正面図である。
【図６】本発明の一実施形態に係るタイル壁診断システム１を示すブロック図である。
【００２３】
【図７Ａ】タイル壁１０の構築直後に撮影された水付着面の下地接着剤１３の基準画像を示す図である。
【図７Ｂ】タイル壁１０の構築後３年が経過したときに撮影された水付着面の下地接着剤１３の基準画像を示す図である。
【図７Ｃ】タイル壁１０の構築後１０年が経過したときに撮影された水付着面の下地接着剤１３の基準画像を示す図である。
【図７Ｄ】タイル壁１０の構築後２０年が経過したときに撮影された水付着面の下地接着剤１３の基準画像を示す図である。
【図７Ｅ】タイル壁１０の構築後４０年が経過したときに撮影された水付着面の下地接着剤１３の基準画像を示す図である。
【図７Ｆ】タイル壁１０の構築後３年が経過したときに撮影された乾燥面の下地接着剤１３の基準画像を示す図である。
【図７Ｇ】タイル壁１０の構築後１０年が経過したときに撮影された乾燥面の下地接着剤１３の基準画像を示す図である。
【図７Ｈ】タイル壁１０の構築後２０年が経過したときに撮影された乾燥面の下地接着剤１３の基準画像を示す図である。
【図７Ｉ】タイル壁１０の構築後４０年が経過したときに撮影された乾燥面の下地接着剤１３の基準画像を示す図である。
【図８】タイル壁診断方法に係る本発明の実施形態の診断手順を説明するためのフローチャートである。
【発明を実施するための形態】
【００２４】
以下、本開示の実施形態に係るタイル壁診断システム１について、図面を参照して説明する。
図１は、本発明の一実施形態のタイル壁診断システム１の撮影部２によって撮影されるタイル壁１０の一部の断面図であり、図２はタイル壁１０が破れ目地構造である場合の例を示す正面図であり、図３は図２に示されるタイル壁１０の一部を拡大した正面図である。図４はタイル壁１０が通し目地構造である場合の例を示す正面図であり、図５は図４に示されるタイル壁１０の地面付近のタイル壁１０の一部を示す正面図である。
【００２５】
本実施形態のタイル壁診断システム１が対象とするタイル壁１０は、代表的には、図２および図３に示される破れ目地構造と、図４および図５に示される通し目地構造とがある。破れ目地構造のタイル壁１０では、タイル１１が上下方向（図２の上下方向）の各列が交互に各タイル１１の配置間隔の１／２だけずれて位置し、下地接着剤１３によって建物の下地１２に接着され、各タイル１１間には、ジグザグ状に屈曲した目地１４が形成され、下地接着剤１３が露出している。
【００２６】
このような目地１４は、各タイル１１の表面から退避しているので、降雨があると、雨水は上下に延びる目地１４に沿って矢符ｍ１方向に流下し、その下端に連なって水平に延びる目地１４に流入すると、その目地１４の下方に位置するタイル１１の上面に落下する。タイル１１の上面に落下した雨水は、矢符ｍ２で示すように、下段のタイル１１の上面に沿って両側へ流れ、下段のタイル１１間の目地１４に矢符ｍ３で示されるように流れ落ちる。
【００２７】
このように、破れ目地構造のタイル壁１０では、上下に延びる目地１４と水平に延びる目地１４とが目地交差部１４ａで交差する構造であるので、各目地交差部１４ａには雨水が滞留し易く、各目地交差部１４ａに位置する下地接着剤１３の劣化の度合いが他の部位に比べて高い。したがって、タイル壁１０が破れ目地構造である場合には、各目地交差部１４ａが含まれるように撮影部２によって撮影し、サンプリング画像として撮影される。
【００２８】
また、図４および図５に示される通し目地構造のタイル壁１０では、タイル１１が上下方向および水平方向に整列して位置し、下地接着剤１３によって建物の下地１２に接着され、各タイル１１間には、格子状の目地１４が形成され、下地接着剤１３が露出している。
【００２９】
目地１４は、各タイル１１の表面から退避しているので、降雨があると、雨水は上下に延びる目地１４に沿って矢符ｍ３方向に流れ落ちるとともに、水平な目地１４に沿って矢符ｍ４で示すように移動して、矢符ｍ３方向に流れ落ちる雨水に合流する。また、壁面１０の上部に付着した雨水が上下に延びる目地１４に沿って矢符ｍ３方向に流れ落ちてくるため、壁面１０に下部にある上下に延びる目地１４は上部よりも、より多くの雨水が通過することになり、下地接着剤１３の劣化が上の領域よりも促進される。
【００３０】
このように、通し目地構造のタイル壁１０では、上下に延びる目地１４と水平に延びる目地１４との目地交差部１４ａで、上下に延びる目地１４に沿って流れる雨水と、水平に延びる目地１４に沿って移動する雨水とが合流するので、各目地交差部１４ａが含まれるように撮影部２によって撮影し、サンプリング画像として撮影される。また、各目地交差部１４ａは、壁面１０の下部に位置する箇所、例えば最下段に位置する各目地交差部１４ａを含むように撮影された画像を、サンプリング画像として用いることが好ましい。
【００３１】
図６は、本発明の実施形態に係るタイル壁診断システム１を示すブロック図である。図７Ａは、タイル壁１０の構築直後に撮影された水付着面の下地接着剤１３の基準画像を示す図であり、図７Ｂはタイル壁１０の構築後３年が経過したときに撮影された水付着面の下地接着剤１３の基準画像を示す図であり、図７Ｃはタイル壁１０の構築後１０年が経過したときに撮影された水付着面の下地接着剤１３の基準画像を示す図である。また、図７Ｄは、タイル壁１０の構築後２０年が経過したときに撮影された水付着面の下地接着剤１３の基準画像を示す図であり、図７Ｅはタイル壁１０の構築後４０年が経過したときに撮影された水付着面の下地接着剤１３の基準画像を示す図である。さらに、図７Ｆは、タイル壁１０の構築後３年が経過したときに撮影された水付着面の下地接着剤１３の基準画像を示す図であり、図７Ｇはタイル壁１０の構築後１０年が経過したときに撮影された乾燥面の下地接着剤１３の基準画像を示す図である。さらに、図７Ｈは、タイル壁１０の構築後２０年が経過したときに撮影された乾燥面の下地接着剤１３の基準画像を示す図であり、図７Ｉはタイル壁１０の構築後４０年が経過したときに撮影された乾燥面の下地接着剤１３の基準画像を示す図である。
【００３２】
本実施形態に係るタイル壁診断システム１は、タイル壁１０の劣化診断の対象となる撮影対象部を撮影して、その撮影画像を生成する撮影部２、撮影部２が生成した撮影画像を読み込み、撮影画像の特徴を表す第１画像情報を生成する画像情報生成部３、第１画像情報に基づき、撮影対象部の劣化の度合いを判定する劣化判定部４、および劣化判定部４による判定結果を出力する出力部５を含む。
【００３３】
画像情報生成部３は、撮影部２によって生成された撮影画像の特徴を表す第１画像情報を生成するために、例えば、カラー画像解析によって、読み込んだ撮影画像に基づいて、各画素の明度、彩度、色相などの色彩情報から、劣化による欠陥の有無、膨れ・浮き・欠損・割れなどの種類、発生数、分布などの特徴量を求める画像データ処理部として設けられる。このようなカラー画像解析としては、例えば、撮影された画像の特徴量を抽出し、撮影された画像の特徴量と、図７Ａ〜図７Ｉに示される複数の基準画像の特徴量とを比較して、最も類似度が高い画像を抽出するアルゴリズムによって類似画像を抽出する画像処理手法を用いるようにしてもよい。
【００３４】
劣化判定部４は、劣化の度合いが各々異なるタイル壁１０を撮影して得られた複数の基準画像と、複数の基準画像のそれぞれの特徴を表す複数の第２画像情報とが記憶された記憶部４ａと、第１画像情報と、記憶部４ａに記憶されている複数の第２画像情報とを比較し、複数の第２画像情報の中から、第１画像情報に最も類似度が高い第２画像情報に対応する基準画像を抽出する基準画像抽出部４ｂと、を備える。
【００３５】
このような劣化判定部４は、基準画像抽出部４ｂによって抽出された基準画像に基づき、撮影対象部の劣化の度合いを判定して、例えば、出力部５がディスプレイ装置であれば、「適応年数：築○○年」、「補修：要／否」などの表示内容を、判定した劣化の度合いに応じた態様で、基準画像および撮影画像とともに表示して、ユーザに情報提供するための情報を作成する提供情報作成部４ｃを、さらに含む。
【００３６】
前述の図７Ａ〜図７Ｅの各基準画像および各第２画像情報は、データベース化された状態で、サーバコンピュータなどの他のコンピュータによって管理される記憶装置にデータベースとして記憶されている。
【００３７】
劣化判定部４は、ハードウェア資源として、例えばパーソナルコンピュータによって実現され、ソフトウェア資源として、パーソナルコンピュータによって実行可能なアプリケーションプログラムによって実現されてもよい。また、画像情報生成部３、基準画像抽出部４ｂ、提供情報作成部４ｃは、中央演算処理装置（Central Processing Unit；ＣＰＵ）によって実現されてもよい。記憶部４ａは、パーソナルコンピュータの主回路基板に搭載されたＲＡＭ（Random Access Memory）によって実現されてもよく、パーソナルコンピュータにいわゆる外付けで接続されるＵＳＢ（Universal Serial Bus）メモリまたはハードディスクドライブ（Hard Disk Drive；ＨＤＤ）などの外部記憶装置によって実現されてもよい。
【００３８】
撮影の対象となるタイル壁１０は、例えば、戸建て住宅や高層集合住宅などの建物の外壁として用いられる。タイル壁１０は、外壁に限らず、内壁であってもよい。タイル壁１０は、複数のタイル１１と、複数のタイル１１を下地１２に接着する下地接着剤１３とを有している。
【００３９】
タイル壁１０は、さらに複数のタイル１１間に、所定の幅ｂを有する目地１４が設けられる。目地１４からは、下地接着剤１３が露出している。本実施形態において、目地１４の配置は、破れ目地状であるが、これに限らず、通し目地状、たて割千鳥目地状などの配置であってもよい。目地１４の幅ｂは、例えば３ｍｍ〜７ｍｍ程度であるが、これに限らない。
【００４０】
下地１２としては、窯業系サイディング材、金属サイディング材、ＡＬＣ（軽量気泡コンクリート）、樹脂サイディング材、珪酸カルシウム板、石膏ボード、石膏スラグなどを用いることができる。
【００４１】
下地接着剤１３の主剤は、適宜選択できるが、例えば、硬化時の体積収縮が少なく、優れた伸び性能と接着性を有する変性シリコン系樹脂が好ましい。また、下地接着剤１３の添加物としては、炭酸カルシウムなど塗工作業性を向上させるものが添加されるが、これらに限らない。
【００４２】
撮影部２は、例えば、タイル壁１０の目地１４から露出する下地接着剤１３の表面である撮影対象部１５を撮影し、その撮影画像を生成する。撮影対象部１５は、１枚のタイル壁１０から複数選択されてもよい。撮影対象部１５の位置および範囲は、診断作業者のタイル壁１０の観察などによって適切な範囲が決定されてもよい。撮影対象部１５は、複数のタイル１１間の目地１４から露出する下地接着剤１３の表面であることが好ましいが、これに限らず、下地接着剤１３の表面の一部を含んでいれば、タイル１１の表面など、タイル壁１０の任意の部分を対象とすることができる。
【００４３】
撮影部２は、撮影対象部１５を撮影可能な解像度を備えていればよく、例えば立体画像（３Ｄ）用のＣＣＤデジタルビデオカメラ、デジタルカメラ、カメラ機能を備えたタブレット端末など、公知のデジタル画像撮影機能を備えた携帯端末機器を用いることができる。
【００４４】
第１画像情報は、色、濃度など撮影対象部１５の撮影画像の特徴を表す情報である特徴量を抽出した情報からなる。第１画像情報を得るために、適切な画像解析技術による画像処理を用いることができる。第１画像情報は、さらに、接着剤の種類、添加物の種類のほか、建物が存する地域が寒冷地であるかどうかなどの地理的環境に関する情報、撮影対象部１５の撮影画像が水付着面か乾燥面かの別に関する情報、あるいは上下に延びる目地１４である縦目地と、水平に延びる目地１４である横目地とが交差する目地交差部１４ａなどを含んでいてもよい。
【００４５】
本実施形態において、第２画像情報は、タイル壁１０の構築直後の撮影画像（図７Ａ）、構築から経過年数３年の撮影画像（図７Ｂ）、経過年数１０年の撮影画像（図７Ｃ）、経過年数２０年の撮影画像（図７Ｄ）、経過年数４０年の撮影画像（図７Ｅ）の情報、タイル壁１０の構築後３年が経過したときに撮影された乾燥面の下地接着剤１３の撮影画像（図７Ｆ）、タイル壁１０の構築後１０年が経過したときに撮影された乾燥面の下地接着剤１３の撮影画像（図７Ｇ）、タイル壁１０の構築後２０年が経過したときに撮影された乾燥面の下地接着剤１３の撮影画像（図７Ｈ）、およびタイル壁１０の構築後４０年が経過したときに撮影された乾燥面の下地接着剤１３の撮影画像（図７Ｉ）のそれぞれの特徴を表す情報を含む。
【００４６】
劣化判定部４は、これらの撮影画像のそれぞれの特徴を表す情報として第２画像情報を抽出し、各第２画像情報と１つの第１画像情報とを対照し、各第２画像情報から類似度の最も高い１つの第２画像情報に対応する基準画像を、基準画像抽出部４ｂが抽出し、出力部５に抽出した基準画像および撮影画像とともに前述した表示内容を画像表示させる。
【００４７】
このように、出力部５に表示された出力画像によって、診断作業者は、撮影対象部１５のタイル壁１０の構築時からの経過年数および撮影対象部１５の劣化の度合いを確認し、建物の所有者または管理者に、タイル壁１０の補修の要否を提案することができる。
【００４８】
劣化判定部４は、演算処理を行う中央演算処理装置（Central Processing Unit；ＣＰＵ）、内部メモリであるランダムアクセスメモリ（Random Access Memory；ＲＡＭ）、ＣＰＵ上で実行されるオペレーションシステム（Operating System；ＯＳ）を含む各種プログラムが記憶されるリードオンリーメモリ（Read Only Memory；ＲＯＭ）などを含んで構成される。劣化判定を実行するプログラムは、外部記録媒体または情報通信ネットワークを介してタイル壁劣化診断システムにインストールされるアプリケーションプログラムであってもよい。
【００４９】
出力部５は、劣化判定部４による判定結果を出力する。本実施形態においては、端末に出力部５が設けられているが、出力部５は、例えば、タブレット端末のディスプレイ装置のように、劣化判定部４と一体に組み込まれた１つ機器によって構成されてもよく、情報通信ネットワークを介して劣化判定部４と接続された携帯端末装置によって実現されてもよい。
【００５０】
本実施形態のタイル壁診断システム１によれば、撮影部２によって撮影対象部１５を撮影し、撮影した撮影画像の特徴を表す第１画像情報に基づき劣化を判定することから、診断作業者による診断を必要とすることなく、劣化診断に要する時間を短縮するとともに、診断結果のばらつきを低減し、タイル壁の補修の必要性を正確に認識することが可能となる。
【００５１】
また本実施形態のタイル壁診断システム１によれば、目地１４から露出し、紫外線、熱、雨水などの影響を受けやすい下地接着剤１３の表面の画像の特徴を表す第１画像情報に基づき劣化を判定することから、高精度の劣化診断が可能である。
【００５２】
また本実施形態のタイル壁診断システム１によれば、第１画像情報と、予め記録されたタイル壁１０の基準画像を表す第２画像情報とを比較し、第２画像情報から最も類似度が高い前記基準画像を抽出し、抽出された基準画像に基づいて撮影対象部１５の劣化の度合いを判定することから、個人差によらず、客観的かつ正確な劣化診断が可能である。
【００５３】
次に、タイル壁診断方法に係る本発明の実施形態について、図面を参照して説明する。
図８は、タイル壁診断方法に係る本発明の実施形態のタイル壁診断手順を説明するためのフローチャートである。なお、前述のタイル壁診断システムの実施形態と対応する部分に同一の参照符を付し、重複する説明は省略する。
【００５４】
本実施形態のタイル壁診断方法は、建物のタイル壁１０の劣化診断の対象となる撮影対象部１５を撮影部２によって撮影する第１工程Ｓ１と、第１工程で撮影された撮影対象部１５の撮影画像の特徴を表す第１画像情報を、撮影部２から劣化判定部４に読み込ませる第２工程Ｓ２と、第２工程で撮影部２から読み込んだ第１画像情報に基づき、撮影対象部１５の劣化の度合いを劣化判定部４によって判定する第３工程Ｓ３と、第３工程で劣化判定部４によって判定された劣化の度合いを表す情報を、出力部５によって画像表示させる第４工程Ｓ４と、を含む。
【００５５】
前述の第３工程Ｓ３は、次の基準画像準備工程Ｓ３１と、画像情報読込み工程Ｓ３２と、基準画像抽出工程Ｓ３３と、劣化情報生成工程Ｓ３４と、を含む。
【００５６】
基準画像準備工程Ｓ３１では、記憶部４ａに、劣化の度合いが各々異なるタイル壁１０を撮影して得られた複数の基準画像と、複数の基準画像のそれぞれの特徴を表す複数の第２画像情報とを記憶する。画像情報読込み工程Ｓ３２では、画像情報生成部３が生成した第１画像情報を劣化判定部４が読み込む。
【００５７】
基準画像抽出工程Ｓ３３では、基準画像抽出部４ｂが、画像情報読込み工程Ｓ３２で読み込んだ第１画像情報と、基準画像準備工程Ｓ３１で記憶部４ａに記憶された複数の第２画像情報とを比較し、複数の第２画像情報の中から、第１画像情報に最も類似度が高い第２画像情報に対応する基準画像を抽出する。
【００５８】
劣化情報生成工程Ｓ３４では、基準画像抽出部４ｂが基準画像抽出工程Ｓ３３で抽出した基準画像に基づき、撮影対象部１５の劣化の度合いを判定し、判定した劣化の度合いを表す情報を生成する。このようにして生成された劣化の度合いを表す情報は、出力部５によって、前述のように出力表示される。
【００５９】
タイル壁１０は、複数のタイル１１と、複数のタイル１１を下地１２に接着する下地接着剤１３とを有しているので、第１工程Ｓ１では、タイル壁１０の複数のタイル１１および目地１４を含む撮影対象部１５を撮影部２によって撮影されるが、画像の編集によって目地１４から露出している下地接着剤１３の表面だけを取り出すようにしてもよい。
【００６０】
撮影対象部１５は、１枚のタイル壁１０から複数選択される。撮影対象部１５の位置および範囲は、適宜の方法により決定される。撮影対象部１５は、タイル１１間の目地１４から露出する下地接着剤１３の表面であることが好ましく、さらに上下に延びる目地１４である縦目地と水平に延びる目地１４である横目地とが交差する目地交差部が好ましいが、これに限らない。
【００６１】
次に、第２工程Ｓ２で撮影部２から読み込んだ第１画像情報に基づき、撮影対象部１５の劣化の度合いを劣化判定部４によって判定する第３工程Ｓ３が実施される。
【００６２】
本実施形態において、劣化判定部４は、タイル壁１０の基準画像の特徴を表す第２画像情報が記憶されている記憶部４ａと、第１画像情報と、第２画像情報とを比較し、第２画像情報から最も類似度が高い前記基準画像を抽出する基準画像抽出部４ｂと、を備えている。
【００６３】
また、第２画像情報は、基準画像のタイル壁１０の施工時からの経過年数の情報を含んでいる。これによって、第３工程Ｓ３では、劣化判定部４が、基準画像抽出部４ｂによって抽出された基準画像の第２画像情報から、撮影対象部１５のタイル壁１０の施工からの経過年数による劣化の進行を推定し、撮影対象部１５の劣化の度合いを判定することができる。
【００６４】
最後に、第３工程Ｓ３において、劣化判定部４によって判定された劣化の度合いを表す情報を、出力部５によって画像表示させる第４工程Ｓ４が実施される。
【００６５】
以上の実施形態によれば、以下の効果を奏する。
（１）撮影部２によって撮影対象部１５を撮影し、撮影した撮影画像の特徴を表す第１画像情報に基づき劣化を判定することから、診断作業者による診断を必要とすることなく、劣化診断に要する時間を短縮するとともに、診断結果のばらつきを抑制し、補修の必要性を正確に把握することが可能である。
【００６６】
（２）目地１４から露出し、紫外線、熱、雨水などの影響を受けやすい下地接着剤１３の表面の画像の特徴を表す第１画像情報に基づき劣化を判定することから、高感度の劣化診断が可能である。
【００６７】
（３）第１画像情報と、予め記録されたタイル壁１０の基準画像の特徴を表す第２画像情報とを比較し、第２画像情報から最も類似度が高い前記基準画像を抽出し、抽出された基準画像に基づいて撮影対象部１５の劣化の度合いを判定することから、客観的かつ正確な劣化診断が可能である。
【００６８】
前述の各実施形態では、撮影画像および基準画像が２次元画像である場合について述べたが、本発明の他の実施形態では、撮影画像および基準画像として、いわゆる３Ｄ画像または立体画像とも呼ばれる３次元画像を用いるようにしてもよい。これによって下地接着剤１３の目地１４から露出する表面の亀裂および隆起をより正確に検出し、タイル壁１０の劣化の度合いを高精度で判定することができる。
【００６９】
本発明のさらに他の実施形態では、一定位置のタイル間の目地を時系列的に撮影部によって撮影した撮影画像を蓄積することによって、劣化の進行速度が判明するので、そのような基準画像を記憶部にデータベースとして蓄積すれば、現状の撮影画像に基づいて将来の劣化の度合いを推定することができる。これによって、タイル壁１０を補修すべき時期、期間または期限を施主に提案することができる。さらに地震、台風の発生に関する統計的な確率も考慮すれば、より安全な補修の時期、期間または期限を提案することができる。
【００７０】
前述の各実施形態では、前述の水の付着によって劣化したタイル壁１０の撮影画像を基準画像として用いる場合について述べたが、本発明のさらに他の実施形態では、日射によって劣化したタイル壁１０の撮影画像をも基準画像に追加して用いるようにしてもよい。これによって、タイル壁１０の劣化を水の付着によるものだけでなく、日射の紫外線による劣化の影響をも考慮して、タイル壁１０の劣化の度合いを判定することができ、劣化の要因を拡げ、判定精度をより高くすることができる。
【００７１】
以上においては、タイル壁の劣化診断システムおよび劣化診断方法について説明したが、本発明は、タイル壁に限らず、その他の外壁および内壁の劣化診断にも、適用可能である。
【符号の説明】
【００７２】
１  タイル壁診断システム
２  撮影部
３  画像情報生成部
４  劣化判定部
４ａ  記憶部
４ｂ  基準画像抽出部
４ｃ  表示情報作成部
５  出力部
１０  タイル壁
１１  タイル
１２  下地
１３  下地接着剤
１４  目地
１５  撮影対象部
【図１】
0006960440.tif 000002
【図２】
0006960440.tif 000003
【図３】
0006960440.tif 000004
【図４】
0006960440.tif 000005
【図５】
0006960440.tif 000006
【図６】
0006960440.tif 000007
【図７Ａ】
0006960440.tif 000008
【図７Ｂ】
0006960440.tif 000009
【図７Ｃ】
0006960440.tif 000010
【図７Ｄ】
0006960440.tif 000011
【図７Ｅ】
0006960440.tif 000012
【図７Ｆ】
0006960440.tif 000013
【図７Ｇ】
0006960440.tif 000014
【図７Ｈ】
0006960440.tif 000015
【図７Ｉ】
0006960440.tif 000016
【図８】
0006960440.tif 000017